(57)【特許請求の範囲】
【請求項１】
貯蔵室の前面側を開閉する扉を備えた冷蔵庫であって、前記冷蔵庫の後上方に配置された第１の把手部と、前記冷蔵庫の質量を支える足組品とを備え、
前記足組品は、前記足組品の前部に設けられる調節足部と、前記冷蔵庫の底面の前方側で前記底面の前端より間隔をあけて形成され前記箱体の左右方向に延在する第２の把手部と、前記調節足部より後方でかつ前記第２の把手部より前方に位置するローラとを有し、
前記第２の把手部は、前記冷蔵庫が設置される床面の側に前記足組品が屈曲するよう形成されるとともに、その後端面がＣ字状部に曲げられてなることを特徴とする冷蔵庫。
【請求項２】
前記底面の前記第２の把手部と対向する部分に凹み部を備えた請求項１に記載の冷蔵庫。
【請求項３】
前記把手部と、前記底面に配置され前記冷蔵庫を前記床面上で支持する支持部材とを接続して形成した請求項１又は２に記載の冷蔵庫。
【発明の詳細な説明】
【０００１】
【発明の属する技術分野】
本発明は、冷蔵庫を運搬する際に手掛け部となる箱体底面前方の取手及び足組品の構造に関する。
【０００２】
【従来の技術】
従来、一般に市販されている冷蔵庫では、例えば、特開平２−２７９９７３号公報（以下、従来技術１）に記載されるように、冷蔵庫の箱体底面前方の足に取手が一体に形成される構造が採られている。この従来技術では、箱体の底面は底板、および断熱材により構成されている。箱体の底面前側端部の近傍２ヶ所には冷蔵庫の質量を支える足組品が固着され、箱体の背面上部左右には上部取手が配置されている。また、足組品は調節足部を前部に有している。この調節足部はネジ部により上下移動し冷蔵庫本体を水平に設置する役目をなす。また、足組品は水平方向に軸支されたローラを備えて、冷蔵庫の移動時にローラが回転して移動に掛かる力を低減する。
【０００３】
ここで、足組品の足板はＬ字形を成す鉄板等の部材からなり、調節足部前端から冷蔵庫の内側に延出する上向きフランジを有する把手部を備えていた。
【０００４】
【発明が解決しようとする課題】
しかしながら、上記従来技術１においては、把手部が扉体の下端より下方にあるため、把手握り時の手掛け用隙間が必要となり、扉体の下端部は足組品の把手よりこの隙間だけ高い位置以上にしなければならない。このため、この扉に対応した貯蔵室の底面位置は把手の高さ位置により制約を受け内容積を拡大出来ないという問題が生じてしまう点については、考慮されていなかった。
【０００５】
また、他の従来技術としては、冷蔵庫底面の底板に凹形取手部を取付て、断熱材内に埋設させる手段が考えられる。しかし、この技術では、冷蔵庫の断熱材発泡時に断熱材が凹形取手部の取付部より外部に洩れやすくなり、また、断熱材の洩れを防止するためにはシール材等が必要となり、構造の複雑化、製造原価が上昇してしまう。
【０００６】
本発明の目的は、内容積を大きく確保できる冷蔵庫を提供することにある。
【０００７】
【課題を解決するための手段】
上記目的を達成するために、本発明の冷蔵庫は、貯蔵室の前面側を開閉する扉を備えた冷蔵庫であって、前記冷蔵庫の後上方に配置された第１の把手部と、前記冷蔵庫の質量を支える足組品とを備え、前記足組品は、前記足組品の前部に設けられる調節足部と、前記冷蔵庫の底面の前方側で前記底面の前端より間隔をあけて形成され前記箱体の左右方向に延在する第２の把手部と、前記調節足部より後方でかつ前記第２の把手部より前方に位置するローラとを有し、前記第２の把手部は、前記冷蔵庫が設置される床面の側に前記足組品が屈曲するよう形成されるとともに、その後端面がＣ字状部に曲げられてなることを特徴とするものである。
さらに、前記底面の前記第２の把手部と対向する部分に凹み部を備えたものである。さらにまた、前記把手部と、前記底面に配置され前記冷蔵庫を前記床面上で支持する支持部材とを接続して形成したものである。
【０００８】
【発明の実施の形態】
以下本発明の実施形態を図面により説明する。
図２は本発明による冷蔵庫の全体構造を示す縦断面図、図１は本発明による第１の実施形態の把手一体形足部を拡大して示す斜視図、図３は本発明による第２の実施形態の把手一体形足部を拡大して示す斜視図であって、１は箱体、２は扉体であり、箱体１の底面は底板８、断熱材９により構成されている。箱体１の底面前方２ヶ所には冷蔵庫の質量を支える足組品３が固着される一方、箱体１の背面上部左右には上部把手１０が配置されている。
【０００９】
また、足組品３は調節足部４を前部に有している。該調節足部４はネジ部４ａにより上下移動し冷蔵庫本体を水平に設置する役目をなす。更に足組品３は足板３ａを両側に有し、該足板３ａ間にローラ５を介在させローラ支軸６にて足板３ａ間に浮遊され、冷蔵庫本体を移動する場合は調節足部４とローラ５の寸法関係を△Ｈなる高低差を設け移動する。また、据え付け時には逆にローラ５より調節足部４を下げて冷蔵庫の動きを止めるものである。
【００１０】
更に足板３ａには前記ローラ５後方側にて箱体内側に延出され端面をＣ字状等に曲げて形成されたフランジ７ａを有する把手部７を底板８に近接して設けてある。この把手部７は、冷蔵庫の箱体１に取付けられた状態での冷蔵庫下方側に屈曲した形状に形成されており、特に本実施例では、足組品３の上面と段差をなすように形成されている。このような構成により、把手７を掴む手を入れることができる隙間を確保するものである。
【００１１】
また、本実施例においては、把手部７の対向部には把手握り時の手掛け用隙を確保すべく底板８に凹部８ａが形成されている。この構成により、把手と冷蔵庫との間に手を入れることが可能な空間を確保するには冷蔵庫の箱体１の底面と床面との間の隙間が不十分である場合にも、把手と冷蔵庫との間に空間を確保することが可能となる。なお、把手部７は移動用ローラと反対側の端部付近を底板８にネジ１１にて固定して把手部の剛性を高めている。
【００１２】
図３において、第２の実施形態ではローラ部５、調節足部４を構成する足板２０とローラ部５後方側にて箱体内側に延出され端面をＣ字状等に曲げて形成されたフランジ７ａを有する把手部７を構成する把手板２１は別部品となっている。この把手板２１は、溶接やネジ固定等により足板２０と把手板２１を固着し、一体に構成したものである。
【００１３】
上記のようにの本実施例の構成では、ローラ部より後方にて箱体内側に延出され、端面をＣ字状等に曲げて形成されたフランジを有する取手部を底板に近接して設け、且つ取手部の対向部には取手握り時の手掛け用隙を確保すべく凹部を設けている。上記本実施例の構成によれば、把手部の手掛け用隙と扉体は無関係となり、扉体を足組品と近接させることが出来て、内容積を大きく確保することができる。
【００１４】
また、運搬時に手に掛かる荷重を面荷重とし、手に集中的に荷重が加わることを防止できる。
【００１５】
さらに、従来技術では断熱材の洩れを防止するためにシール材等が必要となり、構造の複雑化、製造原価の向上になる欠点があったが、冷蔵庫底面の断熱材内に把手部を埋設させない構造であるため、断熱材の洩れが発生せず、構造の簡略化、製造原価の低減となる。
【００１６】
【発明の効果】
以上説明したように、本発明によれば、内容積を大きく確保できる冷蔵庫を提供できる。
【図面の簡単な説明】
【図１】本発明による第１の実施形態の取手一体形足部を拡大して示す斜視図
【図２】本発明による冷蔵庫の全体構成を示す縦断面図である。
【図３】本発明による第２の実施形態の取手一体形足部を拡大して示す斜視図
【符号の説明】
１……箱体、
２……扉体、
３……足組品、
３ａ……足板、
４……調節足部、
４ａ……ネジ部、
５……ローラ、
６……ローラ支軸、
７……取手部、
７ａ……フランジ、
８……底板、
８ａ……凹部、
９……断熱材、
１０……上部取手、
１１……ネジ、
２０……足板、
２１……取手板。
【図１】
0003736218.tif 000002
【図２】
0003736218.tif 000003
【図３】
0003736218.tif 000004